(57)【要約】      （修正有）【課題】容易に着脱できる電子装置を提供する。【解決手段】電子装置１００は、本体１０と、キーボード３０と、本体１０とキーボード３０との間に接続される回転部材２０と、を備える。本体１０には、少なくとも一つのロック溝が設けられ、回転部材２０は、取り付け部材を備え、取り付け部材は、ロック溝に取り付けられ、回転部材２０は、支持部材及び支持部材にスライド可能に装着されたロック部材を備え、ロック部材は、少なくとも一つのロック部を備え、ロック部材がロック位置までスライドされた際、ロック部は、ロック溝内にロックされて、取り付け部がロック溝から離脱することを防止し、ロック部材がロック解除位置にスライドされた際、ロック部は、ロック溝から離脱し、取り付け部は、ロック溝から離脱するため、キーボード２０を本体１０から取り外すことができる。【選択図】図１
2014235741.tif 000002
【特許請求の範囲】
【請求項１】
本体と、キーボードと、前記本体と前記キーボードとの間に接続される回転部材と、を備え、前記本体には、少なくとも一つのロック溝が設けられ、前記回転部材は、取り付け部材を備え、前記取り付け部材が前記ロック溝に取り付けられるような電子装置において、
前記回転部材は、支持部材及び前記支持部材にスライド可能に装着されたロック部材を備え、前記ロック部材は、少なくとも一つのロック部を備え、前記ロック部材がロック位置までスライドされた際、前記ロック部は、前記ロック溝内にロックされて、前記取り付け部材が前記ロック溝から離脱することを防止し、前記ロック部材がロック解除位置にスライドされた際、前記ロック部は、前記ロック溝から離脱し、前記取り付け部材は、前記ロック溝から離脱するため、前記キーボードを前記本体から取り外せることを特徴とする電子装置。
【請求項２】
前記回転部材は、二つの軸受を備え、前記キーボードには、取り付け溝が設けられ、前記二つの軸受は、前記取り付け溝内にそれぞれ取り付けられることを特徴とする請求項１に記載の電子装置。
【請求項３】
前記二つの軸受はそれぞれ、前記取り付け溝内に取り付けられた取り付け棒、前記取り付け棒の外周辺に回転可能に設けられた設置部を備え、前記設置部は、前記支持部材に固定されることを特徴とする請求項２に記載の電子装置。
【請求項４】
前記本体は、少なくとも一つの電磁モジュールを備え、前記ロック部材は、少なくとも一つの磁石モジュールを備え、前記電磁モジュールが通電せず、且つ前記ロック部材が前記ロック位置に位置する際には、前記電磁モジュールは前記磁石モジュールから離れ、前記電磁モジュールが通電する際には、生成された磁場によって、前記磁石モジュールは、前記ロック部材を連動させて前記ロック解除位置にスライドさせることを特徴とする請求項１に記載の電子装置。
【請求項５】
前記電磁モジュールは、第一電磁石、第二電磁石、及び第三電磁石を備え、各電磁石は、磁石本体及び該磁石本体の外周縁に巻かれたコイルを備え、前記第一電磁石、前記第二電磁石、及び前記第三電磁石のコイルは、各両端部が接続されて１本の導線からなっているような構造であり、前記第二電磁石のコイルの巻き方向は、前記第一電磁石のコイルの巻き方向と反対する方向であり、前記第三電磁石のコイルの巻き方向は、前記第一電磁石のコイルの巻き方向と同じ方向であることを特徴とする請求項４に記載の電子装置。
【請求項６】
前記磁石モジュールは、第一磁石、第二磁石、及び第三磁石を備え、前記電磁モジュールが通電していない際、前記第一電磁石は、前記第二磁石の上方に位置し、且つ前記第二磁石と相対し、前記第二電磁石は、前記第三磁石の上方に位置し、且つ前記第三磁石と相対し、前記第一磁石は、前記第一電磁石の左下方に位置し、前記第三電磁石は、前記第三磁石の右上方に位置し、前記電磁モジュールが通電した際、前記第一磁石、前記第二磁石、及び前記第三磁石は移動して、前記第一電磁石は前記第一磁石と相対して互いにくっつき、前記第二電磁石は前記第二磁石と相対して互いにくっつき、前記第三電磁石は前記第三磁石と相対して互いにくっつくことを特徴とする請求項５に記載の電子装置。
【請求項７】
前記本体には、一つのセンサーが設けられ、前記センサーがユーザのタッチを感知すると、前記電磁モジュールは通電し、且つ磁場を生成することを特徴とする請求項４に記載の電子装置。
【請求項８】
前記ロック部材には、少なくとも一つのスライド溝が設けられ、前記支持部材には、前記スライド溝と対応する少なくとも一つの取り付け孔が設けられ、前記スライド溝を貫通し且つ前記取り付け孔内に固定されたネジによって、前記ロック部材は前記支持部材にスライド可能に装着されることを特徴とする請求項１に記載の電子装置。
【発明の詳細な説明】
【技術分野】
【０００１】
本発明は、電子装置に関し、特に容易に着脱できる電子装置に関するものである。
【背景技術】
【０００２】
従来の電子装置（例えば、ノートパソコン等）は、本体及びキーボードを備える。本体には、ディスプレイが設けられ、キーボードは本体と接続できるため、ユーザは電子装置にデータを入力しやすい。このキーボードは、回転部材によって本体に回転可能に接続されて、容易にディスプレイの角度を調節することができる。しかし、従来の電子装置の本体は、キーボードから取り外しにくいため不便である。
【発明の概要】
【発明が解決しようとする課題】
【０００３】
以上の問題点に鑑みて、本発明は、容易に着脱できる電子装置を提供することを目的とする。
【課題を解決するための手段】
【０００４】
上記の課題を解決するために、本発明の電子装置は、本体と、キーボードと、前記本体と前記キーボードとの間に接続される回転部材と、を備える。前記本体には、少なくとも一つのロック溝が設けられ、前記回転部材は、取り付け部材を備え、前記取り付け部材は、前記ロック溝に取り付けられ、前記回転部材は、支持部材及び前記支持部材にスライド可能に装着されたロック部材を備え、前記ロック部材は、少なくとも一つのロック部を備え、前記ロック部材がロック位置までスライドされた際、前記ロック部は、前記ロック溝内にロックされて、前記取り付け部材が前記ロック溝から離脱することを防止し、前記ロック部材がロック解除位置にスライドされた際、前記ロック部は、前記ロック溝から離脱し、前記取り付け部材は、前記ロック溝から離脱するため、前記キーボードを前記本体から取り外すことができる。
【発明の効果】
【０００５】
本発明の電子装置は、電子装置の本体とキーボードとの間に回転部材が設置され、回転部材は、スライド可能に設置されたロック部材を備え、ロック部材は、本体のロック溝にロックする位置或いは主体のロック溝から脱離する位置にスライドできるため、キーボードと本体とを容易に着脱できる。
【図面の簡単な説明】
【０００６】
【図１】本発明に係る電子装置の分解斜視図である。
【図２】図１に示した電子装置の本体の別の視角から見た斜視図である。
【図３】図１に示した電子装置の別の視角から見た分解斜視図である。
【図４】図１に示した電子装置の回転部材の分解斜視図である。
【図５】図４に示した回転部材の別の視角から見た分解斜視図である。
【図６】図５に示した電子装置の電磁モジュールが通電していない際の、電磁モジュールと磁石モジュールとの位置を示す図である。
【図７】図６に示した電子装置の電磁モジュールが通電した際の、電磁モジュールと磁石モジュールとの位置を示す図である。
【図８】図１に示した電子装置の組立斜視図である。
【発明を実施するための形態】
【０００７】
以下、図面に基づいて、本発明に係る電子装置について詳細に説明する。図１から図３及び図８に示したように、電子装置１００は、マザーボード（図示せず）及びディスプレイ（図示せず）が設けられた本体１０、回転部材２０、及びキーボード３０を備える。キーボード３０は、回転部材２０を介して、本体１０に回転可能に接続されるため、容易にデータを本体１０に入力することができる。本実施形態において、本体１０は、タブレットパソコンとして独立して使用することができる。
【０００８】
本体１０には、一つのセンサー１２が設けられ、このセンサー１２は、本体１０の上方に位置する。本体１０の底部には、１組のロック溝１４が設けられており、本体１０内には、１組の電磁モジュール４０が設けられている。この電磁モジュール４０は、ロック溝１４に隣接する。
【０００９】
キーボード３０の一側には、回転部材２０に対応する収容溝３１が設けられており、収容溝３１の両端には、それぞれ１組の突起部３２が設けられている。各突起部３２の収容溝３１に隣接する一側には、一つの取り付け溝３２１がそれぞれ設けられている。
【００１０】
図４及び図５に示したように、回転部材２０は、支持部材２２、ロック部材２４、二つの軸受２６、及び二つの取り付け部材２８を備える。支持部材２２は、第一側板２２３及び第一側板２２３の一側の周縁と垂直に接続された底板２２１を備える。第一側板２２３には、複数の取り付け孔２２３１が設けられている。
【００１１】
ロック部材２４は、第二側板２４１、二つのロック部２４３、及び二つの取り付け片２４５を備える。ロック部２４３は、第二側板２４１の底部の周縁と接続され、且つ第二側板２４１の両端に位置する。二つの取り付け片２４５は、第二側板２４１の底部の周縁とそれぞれ垂直に接続され、且つ二つのロック部２４３との間に位置する。各ロック部２４３は、第二側板２４１の底部の周縁に垂直に接続された接続片２４３１と、接続片２４３１の第二側板２４１と離れている一側に垂直に接続された係合片２４３３と、を備える。係合片２４３３は、Ｌ字状を呈し、第二側板２４１と平行に位置する。第二側板２４１には、複数の支持部材２２の取り付け孔２２３１と対向して位置するスライド溝２４１１が設けられている。各取り付け片２４５には、磁石モジュール２４７がそれぞれ設けられており、第二側板２４１の中央には、ハンドル２４９が設けられている。ハンドル２４９は、Ｔ字状を呈し、且つ第二側板２４１の上方から突出している。ロック部材２４の長さは、支持部材２２の長さより短い。
【００１２】
各軸受２６は、取り付け棒２６１、取り付け棒２６１に回転可能に取り付けられた回転軸２６３、及び回転軸２６３に取り付けられた設置部２６５を備える。
【００１３】
各取り付け部材２８は、底部２８３と、底部２８３に垂直に接続された接続片２８１と、を備える。接続片２８１は、本体１０のロック溝１４内に設けられる。また、接続片２８１には、凹溝２８１１が設けられている。
【００１４】
電子装置１００を組み立てる際、各軸受２６の設置部２６５を、支持部材２２の底部に、且つ両端にそれぞれ取り付ける。次いで、取り付け部材２８の底部２８３を、支持部材２２の底部に、且つ二つの軸受２６の間に取り付けて、二つの軸受２６に隣接させる。この際、各取り付け部材２８の接続片２８１は、支持部材２２の第一側板２２３と平行になり、各取り付け部材２８の凹溝２８１１は、第一側板２２３と相対する。次いで、係合片２４３３を二つの取り付け部材２８の凹溝２８１１内取り付けて、支持部材２２の底板２２１をロック部材２４の取り付け片２４５及び接続片２４３１上に位置させる。この際、支持部材２２の第一側板２２３は、ロック部材２４の第二側板２４１の取り付け片２４５に近い一側と接触し、複数のスライド溝２４１１は、複数の取り付け孔２２３１とそれぞれ連通する。次いで、複数のネジ５０を複数のスライド溝２４１１に貫通させ、且つ対応する取り付け孔２２３１内に固定する。これにより、ロック部材２４は、スライド可能に支持部材２２に装着される。次に、二つの軸受２６の取り付け棒２６１をキーボード３０の取り付け溝３２１内に取り付ける。本実施形態において、キーボード３０のケースは、上蓋板（図示せず）及び下蓋板（図示せず）によって構成される。該上蓋板及び下蓋板を固定する前に、取り付け棒２６１を上蓋板と下蓋板との間に取り付けることで、上蓋板及び下蓋板を固定した後、取り付け棒２６１は取り付け溝３２１内に固定される。
【００１５】
ロック部材２４の位置を調節する際、先ず、係合片２４３３を完全に二つの取り付け部材２８の凹溝２８１１内に収容させて、二つの取り付け部材２８の接続片２８１及び接続片２８１に収容された係合片２４３３を本体１０のロック溝１４内に収容させる。次に、ロック部材２４をやや右に移動させて、係合片２４３３を接続片２８１の右側から突出させ、且つロック溝１４内にロックさせる。これにより、回転部材２０を介して、本体１０をキーボード３０に接続できるため、回転軸２６３を回転させることで、本体１０とキーボード３０との間の角度を調節することができる。
【００１６】
図６から図８に示したように、本実施形態において、本体１０内には、電磁モジュール４０が設けられており、この電磁モジュール４０は、左から右に順に配列された第一電磁石４１、第二電磁石４２、及び第三電磁石４３を備える。各電磁石は、磁石本体及び磁石本体の外周縁に巻かれたコイルを備えている。具体的には、一本のコイルが第一電磁石４１の一部を巻き、別のコイルの一端がこの第一電磁石４１の一部を巻いたコイルと接続されて、第一電磁石４１の残りの部分を巻いた後、第二電磁石４２の一部を巻く。更に別のコイルが第二電磁石４２の一部を巻いたコイルと接続されて、第二電磁石４２の残りの部分を巻いた後、第三電磁石４３の一部を巻く。更に別のコイルが第三電磁石４３の一部を巻いたコイルと接続されて、第三電磁石４３の残りの部分を巻いている。つまり、第一電磁石４１、第二電磁石４２、及び第三電磁石４３に巻かれているコイルは、両端部が接続された１本の導線からなっているような構造をもつ。第二電磁石４２のコイルの巻き方向は、第一電磁石４１のコイルの巻き方向と反対の方向であり、第三電磁石４３のコイルの巻き方向は、第一電磁石４１のコイルの巻き方向と同方向である。これにより、電磁モジュール４０が通電した際、第一電磁石４１及び第三電磁石４３のコイルの巻き方向の極は同じであり、第二電磁石４２の両極方向は、第一電磁石４１及び第三電磁石４３のコイルの巻き方向の両極方向と反対の方向である。磁石モジュール２４７は、左から右の方向に沿って配列された第一磁石２４７ａ、第二磁石２４７ｂ、及び第三磁石２４７ｃを備える。第一磁石２４７ａ及び第三磁石２４７ｃの上側はＳ極、下側はＮ極である。第二磁石２４７ｂの上側はＮ極、下側はＳ極である。電磁モジュール４０が通電していない際、第一電磁石４１は、第二磁石２４７ｂの上方に位置し、且つ第二磁石２４７ｂと相対し、第二電磁石４２は、第三磁石２４７ｃの上方に位置し、且つ第三磁石２４７ｃと相対し、第一磁石２４７ａは、第一電磁石４１の左下方に位置し、第三電磁石４３は、第三磁石２４７ｃの右上方に位置する。この際、ロック部材２４の係合片２４３３は、接続片２８１の右側から突出し、且つロック溝１４内にロックされ、本体１０は、回転部材２０を介してキーボード３０と接続される。
【００１７】
本体１０をキーボード３０から取り外す場合、まず、本体１０のセンサー１２をタッチして、センサー１２にタッチを感知させる。これにより、本体１０は電磁モジュール４０に電力を提供する。電磁モジュール４０が通電した後、第一電磁石４１の上側はＳ極、下側はＮ極になり、第二電磁石４２の上側はＮ極、下側はＳ極になり、第三電磁石４３の上側はＳ極、下側はＮ極になる。電磁モジュール４０が生成した磁場は、第一磁石２４７ａ、第二磁石２４７ｂ、及び第三磁石２４７ｃを右方向に移動させる。この際、第一電磁石４１は第一磁石２４７ａと相対して互いにくっつき、第二電磁石４２は、第二磁石２４７ｂと相対して互いにくっつき、第三電磁石４３は、第三磁石２４７ｃと相対して互いにくっつく。磁石の移動によりロック部材２４は連動してロックが解除され、係合片２４３３は、取り付け部材２８の凹溝２８１１内に収容されて、ロック溝１４から離脱する。最後に、接続片２８１をロック溝１４から引っ張り出して、本体１０をキーボード３０から取り外す。
【００１８】
また、本発明の電子装置１００は、電磁モジュール４０に電力を提供できない場合、ハンドル２４９を操作することでロック部材２４を移動できるので、容易に本体１０及びキーボード３０を着脱できる。
【符号の説明】
【００１９】
１０  本体
１２  センサー
１４  ロック溝
２０  回転部材
２２  支持部材
２４  ロック部材
２６  軸受
２８  取り付け部材
３０  キーボード
３１  収容溝
３２  突起部
４０  電磁モジュール
４１  第一電磁石
４２  第二電磁石
４３  第三電磁石
５０  ネジ
１００  電子装置
２２１  底板
２２３  第一側板
２４１  第二側板
２４３  ロック部
２４５  取り付け片
２４７  磁石モジュール
２４９  ハンドル
２６１  取り付け棒
２６３  回転軸
２６５  設置部
２８１、２４３１  接続片
２８３  底部
３２１  取り付け溝
２４７ａ  第一磁石
２４７ｂ  第二磁石
２４７ｃ  第三磁石
２２３１  取り付け孔
２４１１  スライド溝
２４３３  係合片
２８１１  凹溝
【図１】
2014235741.tif 000003
【図２】
2014235741.tif 000004
【図３】
2014235741.tif 000005
【図４】
2014235741.tif 000006
【図５】
2014235741.tif 000007
【図６】
2014235741.tif 000008
【図７】
2014235741.tif 000009
【図８】
2014235741.tif 000010